(57)【要約】      （修正有）【課題】少なくとも１つの加入者局および同期化され通信リンクにより互いに接続された少なくとも２つの基地局を実装する通信方法を提供する。【解決手段】通信の切断を防ぐために、少なくとも１つの加入者局によるパケットの送信および／または受信のための時間リソース割り当てステップを含み、この時間リソースは、各加入者局の専用であり、基地局のすべてで使用可能である。【選択図】図１
2008263584.tif 000002
【特許請求の範囲】
【請求項１】
少なくとも１つの加入者局（１０、１１）、および同期化され通信リンクにより互いに接続された少なくとも２つの基地局（１２、１３）を実装する通信方法であって、
少なくとも１つの加入者局によるパケットの送信および／または受信のための時間リソース割り当てステップ（４０２、４０３、４１０、４１１）を含み、前記時間リソースは、各加入者局の専用であり、前記基地局のすべてで使用可能であることを特徴とする通信方法。
【請求項２】
前記少なくとも１つの加入者局からなる少なくとも一部を含むセット内の前記局のそれぞれについて、
前記加入者局の第１の基地局（１２）への接続（７１５）ステップであって、前記第１の基地局は、前記加入者局向けのおよび／または前記加入者局から来るデータを送信（７２３）および／または受信（７２０）する接続ステップと、
前記第１の基地局の前記接続の第２の基地局へのハンドオーバーの決定ステップであって、前記決定は、前記加入者局により行われる決定ステップと、
前記加入者局の前記第２の基地局（１３）への接続ステップであって、前記第２の基地局は、前記加入者局向けのおよび／または前記加入者局から来るデータを送信（７３４）および／または受信（７３６）する接続ステップと
を含むことを特徴とする請求項１に記載の方法。
【請求項３】
ハンドオーバーフェーズ（７３）の間、前記第１および第２の基地局は、前記加入者局向けのおよび／または前記加入者局から来るデータを送信（５０２、５０４）および／または受信（５１２、５１０）するために同一の時間リソースを共用することを特徴とする請求項２に記載の方法。
【請求項４】
前記第１の基地局は、前記加入者局向けの、前記ハンドオーバーフェーズの開始の前に記録されたデータを送信（７３３）することを特徴とする請求項３に記載の方法。
【請求項５】
前記第２の基地局は、前記加入者局向けの、前記ハンドオーバーフェーズの前記開始の後に記録されたデータを送信（７３４、７４１）することを特徴とする請求項３および４のいずれか一項に記載の方法。
【請求項６】
前記方法は、前記ハンドオーバーフェーズの前記開始を表すデータの送信ステップ（７３１）を含むことを特徴とする請求項３および４のいずれか一項に記載の方法。
【請求項７】
前記時間リソース割り当てステップは、前記時間リソースに用いられる時間スロットを指定する無線パケット送信ステップ（４００、４０１、５００、５０１、６００、６０１）を含むことを特徴とする請求項１から６のいずれか一項に記載の方法。
【請求項８】
前記方法は、各加入者局にアソシエートされる接続識別子の割り当てステップ（７１５）を含むことを特徴とする請求項１から７のいずれか一項に記載の方法。
【請求項９】
前記接続識別子は、前記加入者局が通信する前記基地局を表すことを特徴とする請求項８に記載の方法。
【請求項１０】
前記接続識別子は、前記加入者局との通信の方向を表すことを特徴とする請求項８から９のいずれか一項に記載の方法。
【発明の詳細な説明】
【技術分野】
【０００１】
本発明は無線電気通信分野に関し、より詳細には移動局にアソシエートされる通信を１つの中継局から別の中継局へ受け渡すこと（ハンドオーバーとして知られる）に関する。
【背景技術】
【０００２】
従来技術によると、いくつかの無線ネットワークアーキテクチャが知られている。それらのいくつかは集中アーキテクチャに基づく。したがって、Ｗｉ−ｆｉシステム（ＩＥＥＥ８０２．１１ａ規格に基づく）は、競合チャネルアクセスによる非集中アーキテクチャを有する。このようなアーキテクチャでは、サービス品質（またはＱｏＳ）がいくつかの用途に対して十分に効果的に管理されることは不可能である。Ｗｉｍａｘシステム（ＩＥＥＥ８０２．１６規格に基づく）は、より適したサービス品質がいくつかの用途に実装されることを可能とする集中アーキテクチャを有する。
【０００３】
しかし、Ｗｉｍａｘネットワークで実装された技術は、例えば干渉を受けるかまたは信号損失もしくはエコーを生成する障害により妨害されるノイズのある無線周波環境で動き回る無線カメラによりデータが送信されるビデオ型通信など、すべての用途にサービス品質を保証することができない。したがって、無線局との通信は（例えば移動局が動き回っているとき）突然切断される可能性がある。
【発明の開示】
【発明が解決しようとする課題】
【０００４】
本発明の目的は、従来技術の短所を克服することである。
【０００５】
より具体的には本発明の目的は、保証されたサービス品質で、より具体的には普通の使用状態のもとでの通信の切断なしに（すなわち、無線局または無線局群により送信されるかまたは受信されるべきパケットのロスなしに）、中継局向けのまたは中継局から来る、少なくとも１つの無線局によるデータの送信および／または受信を可能にすることである。
【課題を解決するための手段】
【０００６】
この目的のために、本発明は、少なくとも１つの加入者局、および同期化され通信リンクにより互いに接続された少なくとも２つの基地局を実装する通信方法を提案する。いかなる切断もなしに通信チャネルを介する送信を可能とするために、この方法は、少なくとも１つの加入者局によるパケットの送信および／または受信のための時間リソース割り当てステップを含み、上記時間リソースは各加入者局の専用であり、基地局のすべてで使用可能である。
【０００７】
有利な一特徴によると、加入者局または加入者局群からなる少なくとも一部を含むセット内の局のそれぞれに対して、この方法は以下のステップを含む。
−加入者局の第１の基地局へ接続し、この基地局は、加入者局向けのおよび／または加入者局から来るデータを送信および／または受信する。
−第１の基地局の接続の第２の基地局へのハンドオーバーの決定であって、この決定は加入者局により行われる。
−加入者局の第２の基地局への接続であって、この基地局は、加入者局向けのおよび／または加入者局から来るデータを送信および／または受信する。
【０００８】
この方法は、加入者局群（例えば単一の局またはいくらかの加入者局）およびすべての加入者局を含む部分を含むセットに対して上記のステップを含む。ハンドオーバーの決定は当該加入者局により行われ、このハンドオーバーはその加入者局に特有の判断基準（例えば、各基地局により送信された信号の受信品質であって、この品質は受信レベルおよび／または復号後のエラー率を含むことが可能である）に従って行われることが有利である。加入者局の基地局への接続とは、加入者局がこの基地局にデータを送信するか、この基地局からデータを受信するか、またはこの基地局に向けたデータおよびこの基地局から来るデータの送信および受信の両方を行うことができることを意味する。
【０００９】
ハンドオーバーフェーズの間、第１および第２の基地局は、上記加入者局向けのおよび／または上記加入者局から来るデータを送信および／または受信するために同一の時間リソースを共用することが有利である。
【００１０】
時間リソースは、所与の周波数帯域の時間スロットに対応する。周波数帯域は上り方向および下り方向の両方に使用可能であるか、またはそれとは反対に２つの別の周波数帯域が上り方向および下り方向に用いられる。時間リソースは、これらの方向のうちの一方向または両方向に割り当てられるかのどちらかである。
【００１１】
具体的な特徴によると、第１の基地局は、加入者局向けの、ハンドオーバーフェーズの開始の前に記録されたデータを送信する。
【００１２】
別の具体的な特徴によると、第２の基地局は、加入者局向けの、ハンドオーバーフェーズの開始の後に記録されたデータを送信する。
【００１３】
この方法は、ハンドオーバーフェーズの開始を表すデータの送信ステップを含むことが有利である。
【００１４】
有利な特徴によると、この方法は、時間リソースに用いられる時間スロットを指定する無線パケット送信ステップを含む。
【００１５】
詳細な特徴によると、この方法は、各加入者局にアソシエートされる接続識別子の割り当てステップを含む。
【００１６】
接続識別子は、加入者局が通信する基地局および／または加入者局との通信の方向を表すことが有利である。
【００１７】
添付の図面を参照する以下の説明を読むことにより、本発明はよりよく理解され、他の具体的な特徴および利点が明らかになる。
【発明を実施するための最良の形態】
【００１８】
図１は、無線ネットワーク１および有線イーサネット(登録商標）ネットワークを含む通信ネットワークを示す。
【００１９】
無線ネットワーク１は、固定式、または有利には移動式の１つまたは複数の無線局を含む。これらの無線局は、例えば２つの移動局（ＭＳ）または加入者局ＳＳ１  １０およびＳＳ２  １１である。
【００２０】
イーサネット(登録商標）は、イーサネット(登録商標）リンクにより互いに接続されているハブ１４ならびに２つのノード１５および１６を含む。
【００２１】
局１０および１１は、中継局または基地局（ＢＳ）ＢＳ１  １２およびＢＳ２  １３を介して、ノード１５に向けてデータを送信、またはノード１５から来るデータを受信することができる。基地局１２および１３により、無線ネットワーク１とインターネットネットワークの間のインターフェースを提供することが可能となる。したがって、基地局１２（または１３）は、双方向無線リンク１０１（または１０２）を介して局ＭＳ１  １０に接続され、リンク１１１（または１１２）を介してＭＳ２  １１に接続される。ネットワークアーキテクチャ１は、移動局が見つかる可能性のある全区域をカバーするのに十分な基地局をネットワーク１が含むものである。したがっていかなるときも、ネットワーク１の各移動局は、無線通信を提供することを可能とする無線リンクによりネットワーク１の少なくとも１つの基地局に接続される。基地局１２および１３は、それぞれイーサネット(登録商標）リンク１２１および１３１を介してハブ１４に接続される。したがって、例えば、局ＳＳ１が局ＢＳ１に接続される場合、局ＳＳ１はノード１５にリンク１０１、１２１、および１４１を介してデータを送信できる。ノード１５および１６のうちの１つは、基地局の同期をとるための専用であってよく、基地局に向けた同期信号を定期的にブロードキャストしてよい。
【００２２】
例えば局ＳＳ１およびＳＳ２は、無線通信手段を備えた移動カメラであり、ノード１５は、画像処理システム（例えば、ビデオレコーダ、スタジオエントリポイント等）である。したがって、図１のネットワークは、カメラによって処理システムへ送信されるビデオの連続的な（すなわち途切れない）送信を可能とする。
【００２３】
基地局は同じ無線周波数チャネルを共用し、この無線スペクトルは経済的なリソースであることが有利である。基地局は、無線チャネル上で互いに相互にできる限りリッスンすることができる。一実施形態では、基地局は、無線チャネル上で互いに相互にリッスンすることができない。
【００２４】
図１のネットワークのノード間で用いられる通信は、ＩＰ（インターネットプロトコル）型であり、ＳＳ、ＢＳおよびノード１５はそれぞれＩＰアドレスを持つことが有利である。ＩＰを用いて、例えば単方向モードまたは双方向モードでビデオおよび／またはオーディオを搬送するストリーミングモードでフローを搬送する。
【００２５】
図２は、ＳＳ１またはＳＳ２に対応するネットワーク１の移動局２を示す。
【００２６】
移動局２は、アドレスおよびデータバス２４により互いに接続され、クロック信号も搬送する以下のものを含む。
−マイクロプロセッサ２１（またはＣＰＵ）
−ＲＯＭ（読み取り専用メモリ）型不揮発性メモリ２２
−ランダムアクセスメモリ即ちＲＡＭ２３
−無線リンク上の信号の送信モジュール２５
−無線リンク上の信号の受信モジュール２６
−アプリケーションに対するインターフェース２７
【００２７】
さらに、要素２１から２６のそれぞれは当業者によく知られている。これらの共通要素は本明細書では説明されない。
【００２８】
メモリ２２および２３の説明で用いられる「レジスタ」という用語は、言及したメモリのそれぞれにおいて、低容量のメモリ領域（いくつかのバイナリデータ）および大容量のメモリ領域（プログラム全体を格納できるか、あるいはオーディオ／ビデオサービスを表すデータのすべてまたは部分を収容できる）を示すことに留意されたい。
【００２９】
アプリケーションは例えばビデオ型であり、移動局２により送信および受信されるデータのそれぞれの送信元および送信先のそれぞれに相当する（移動局２は例えばカメラである）。
【００３０】
ＲＯＭメモリ２２は特に「ｐｒｏｇ」プログラム２２０を含む。
【００３１】
本発明に特有で以下に説明される方法のステップを実行するアルゴリズムは、これらのステップを実行する移動局２に関連付けられるメモリＲＯＭ２２内に格納される。電源を投入したとき、マイクロプロセッサ２１は、これらのアルゴリズムの命令をロードし実行する。
【００３２】
ランダムアクセスメモリ２３は特に以下を含む。
−レジスタ２３０内の、移動局２のスイッチを入れて作動させることを担う、マイクロプロセッサ２１のオペレーティングプログラム
−レジスタ２３１内のデータまたはこのデータを含むＰＤＵ
−レジスタ２３２内の移動局２のＩＰアドレス
−レジスタ２３３内の接続識別子またはＣＩＤ
−ネットワーク１のＢＳ識別子であり、ＩＰまたはイーサネット(登録商標）ＭＡＣアドレスをレジスタ２３４内に含む識別子
−レジスタ２３５内の、各ＢＳにより送信されたフレームおよび／またはパケットヘッダの受信品質に関わる情報
【００３３】
図３は、ＢＳ１またはＢＳ２に対応する、ネットワーク１の基地局３を図示する。
【００３４】
基地局３は、アドレスおよびデータバス３４により互いに接続され、クロック信号も搬送する以下のものを含む。
−マイクロプロセッサ３１（またはＣＰＵ）
−ＲＯＭ（読み取り専用メモリ）型不揮発性メモリ３２
−ランダムアクセスメモリまたはＲＡＭ３３
−無線リンク上の信号の送信モジュール３５
−無線リンク上の信号の受信モジュール３６
−イーサネット(登録商標）ネットワークに対するインターフェース３７
【００３５】
さらに、要素３１から３６のそれぞれは当業者によく知られている。これらの共通要素は本明細書では説明されない。
【００３６】
メモリ３２および３３の説明で用いられる「レジスタ」という用語は、言及したメモリのそれぞれにおいて、低容量のメモリ領域（いくつかのバイナリデータ）および大容量のメモリ領域（プログラム全体を格納できるか、あるいはオーディオ／ビデオサービスを表すデータのすべてまたは部分を収容できる）を示すことに留意されたい。
【００３７】
ＲＯＭメモリ３２は特に「ｐｒｏｇ」プログラム３２０を含む。
【００３８】
本発明に特有で以下に説明される方法のステップを実行するアルゴリズムは、これらのステップを実行する基地局３に関連付けられるメモリＲＯＭ３２内に格納される。電源を投入したとき、マイクロプロセッサ３１は、これらのアルゴリズムの命令をロードし実行する。
【００３９】
ランダムアクセスメモリ３３は特に以下を含む。
−レジスタ３３０内の、基地局３のスイッチを入れて作動させることを担う、マイクロプロセッサ３１のオペレーティングプログラム
−レジスタ３３１内のデータまたはこのデータを含むＰＤＵ
−レジスタ３３２内の、基地局３の同期化に関連付けられるデータ
−レジスタ３３３内の基地局３のＩＰアドレス
−レジスタ３３４内の、ネットワーク１の移動局のＩＰアドレス
−レジスタ３３５内の接続識別子またはＣＩＤ
−レジスタ３３６内の移動局の状態（例えば、局３へアソシエートまたは接続されているか、あるいは別の局へアソシエートまたは接続されているか）
−（例えばイーサネット(登録商標）リンクを介して）ＢＳ３に接続された他のＢＳまたは他のＢＳ群の識別子であり、ＩＰまたはイーサネット(登録商標）ＭＡＣアドレスをレジスタ３３７内に含む識別子
【００４０】
図８および図９は、移動局１０、基地局１２および１３、ならびにノード１５の間の通信の例を示す（これらの要素は垂直線で表され、アクション、イベントおよび／または連続する送信が時間の流れに沿って示される）。
【００４１】
ステップ１０の間、ノード１５は、同期信号７００および７０１を基地局１２および１３のそれぞれに送信する。これを示すために、基地局の同期化を可能とし、移動局１０から来るデータを受信、または移動局１０に向けたデータを送信するのは同一のノード１５であるとする。一変形によると、同期化を可能とするのはノード１６である。さらに、信号７００および７０１は単一信号（ブロードキャスト信号）内に合体されることが有利である。
【００４２】
異なる基地局は、フレームの大きさに適合する精度スロットΔで同期化される。Δは５００μｓより小さいことが有利であり、さらに５０μｓより小さいことが有利である。
【００４３】
いくつかの同期化手段が考えられる。
−例えば、１μｓ台の精度を可能とするＩＥＥＥ１５８８プロトコルＰＴＰ（Ｐｒｅｃｉｓｉｏｎ  ｔｉｍｅ  ｐｒｏｔｏｃｏｌ）に準拠して（図８に示されるような）イーサネット(登録商標）ネットワークを介する同期化
−原子時計により制御される無線送信を介する同期化であり、時計は広い地理的範囲（例えば国）にわたって無線送信上に固定される。これは、６０ｋＨｚの英国のＡｎｔｈｏｒｎの無線時計トランスミッタ、７７ｋＨｚのドイツのＭａｉｎｆｌｉｎｇｅｎまたは６０ｋＨｚの米国のＦｏｒｔ  Ｃｏｌｌｉｎｓの無線時計であってよい。
−数百マイクロ秒台の精度を持つ時間基準を与えることができるＮＴＰに基づくＩＰベースのプロトコルに準拠したイーサネット(登録商標）／ＩＰネットワークを介する同期化
他の基地局との同期化のために、各基地局は伝達信号を受信し、それによりある同じ数を搬送し無線ネットワーク１上を通過する各無線フレームのためのスタートパルスを生成する。したがって各基地局は、他と同期化された方法で割り当てられたスロットでそれ自体のフレームを送信することができる。単一の基地局は所与の時点で、交わらないトランザクションを送信する。
【００４４】
これは、Ｎ番のフレーム４の送信および受信を時間の流れに沿って説明する図４に示される。フレーム４は、基地局から移動局への下り方向と移動局から基地局への上り方向にそれぞれ対応する２つのスロット４０および４１に分けられる。
【００４５】
スロット４０は以下を含む。
−各ＢＳに割り当てられたタイムスロット内のフレームヘッダ用に確保された１部分
−各ＢＳに割り当てられたタイムスロット内の、接続された移動局または移動局群へのデータの送信用に確保された１部分
−競合モードでのやり取りを可能とする（特にアソシエートされていないまたは接続されていない移動局がこれを行うことを可能とする）部分（図示せず）
【００４６】
スロット４０の第１の部分において、第１に局ＢＳ１はフレームヘッダまたはＦＨ４００を送信する。次に、局ＢＳ２はフレームヘッダまたはＦＨ４０１を送信する。ヘッダ送信４００（または４０１）の開始は、精度Δを持つ、ＢＳ１（またはＢＳ２）へ割り当てられたスロットの開始に対応する。各ＦＨは現在のフレームでの接続によるリソース割り当ての時間マッピングを含む。ＦＨのためのスロットの割り当ては平凡なものである（例えば、ＢＳのＭＡＣアドレスまたはネットワークでの宣言の順番に従って決定される）。ＭＳがＢＳにアソシエートされると、アソシエーション要求を（または別のＢＳ（例えば一変形によるＢＳ）によって）受信するＢＳは、あいまいでない方法でデータパケットの送信および／または受信のための時間リソースを割り当てる。時間リソースは、（例えば、単一のＢＳがリソースを割り当てる場合、またはいくつかのＢＳ間で共用する割り当てメカニズムにより２つの別のＭＳが同一の時間リソースを割り当てられないようにする場合）単一のＭＳに割り当てられる。
【００４７】
ＣＩＤは、ＭＳとＢＳの間の上りまたは下りの接続のそれぞれにアソシエートされる。したがって、各ＣＩＤはＭＳとＢＳの間の接続、および下りまたは上りの方向（したがって２つの別個の接続は異なるＣＩＤを有する）を正確に識別する。一変形によると、ＣＩＤは上りおよび下りの方向に対して同一である。移動局が基地局にアソシエートされると、自動的に別の基地局にアソシエートされる。他の基地局は、アソシエーション操作に対して割り当てられた第１のＣＩＤから所定の規則に従って、当該移動局のおよび各通信方向に対する基地局自体との接続にアソシエートされるＣＩＤを推定することが有利である。一変形によると、ＣＩＤを属性付ける第１の基地局は、他の基地局と当該の移動局の接続のためのＣＩＤも属性付ける。他の変形によると、基地局および移動局のそれぞれは、属性付けられた第１のＣＩＤからＣＩＤを推定できる。所定の規則は例えば、それぞれ基地局、移動局、方向および場合によっては特定のアソシエーション（特にいくつかの接続が所与の方向に対して同一の移動局および同一の基地局に関わる場合）を識別するＣＩＤの部分に基づく。図示のように、ＳＳ１に対して、ＣＩＤは以下に等しくなる。
−ＳＳ１へのＢＳ１の接続には１４
−ＢＳ１へのＳＳ１の接続には１５
−ＳＳ１へのＢＳ２の接続には２４
−ＢＳ２へのＳＳ１の接続には２５
したがって、ＣＩＤが１６進モードで表される場合、第１の４ビットはＢＳに関連付けられ（ここではＢＳ１は１、ＢＳ２は２）、第２の４ビットの最初の３ビットはＳＳに関連付けられ（ここでは４）、最後のビットは方向に関連付けられる（ＳＳからＢＳは１でありＢＳからＳＳは０）。基地局すべておよび移動局すべては第１のＣＩＤに従ったＣＩＤ割り当て規則を認識し、したがって（特定のＣＩＤを持つメッセージをリッスンし送信するため、および生成のため）ＣＩＤを効果的に管理できることが有利である（これが識別子の役割である）。
【００４８】
フレーム４の間、ＳＳ１（またはＳＳ２）はＢＳ１（またはＢＳ２）とデータをやり取りすると仮定する。したがって、ＢＳからＳＳへのデータの送信用に確保された部分で、第１にＢＳ１はＳＳ１にＳＳ１との接続に割り当てられたスロット４０２でＣＩＤ１４と共にデータを送信する。次にＢＳ２はＳＳ２にＳＳ２との接続に割り当てられたスロット４０３でＣＩＤ２６と共にデータを送信する。
【００４９】
スロット４１は、ポーリングモードで接続された移動局または移動局群によるデータの送信用に確保された部分を含み、時間スロットは各ＭＳに割り当てられる。したがって、スロット４１では、第１にＳＳ１はＢＳ１にＳＳ１との接続に割り当てられたスロット４１０でＣＩＤ１５と共にデータを送信する。次にＳＳ２はＢＳ２にＳＳ２との接続に割り当てられたスロット４１１でＣＩＤ２７と共にデータを送信する。
【００５０】
各ＢＳが同期化されると、定期的（例えば毎秒ごと）または必要なときに改めて同期化される。
【００５１】
同期化フェーズ７０の後、図８はアソシエーションおよび接続フェーズ７１を示す。
【００５２】
図示のように、このフェーズはＳＳ１によるＢＳ１へのアソシエーション要求７１０の送信で開始される。このメッセージは、スロット４０で競合期間の間に送信される。続くフレームのうちの１つのフレームの間に、ＢＳ１は、そのアソシエーションに対する応答型のメッセージ７１１を含むフレームヘッダを送信する。メッセージ７１０および７１１のフォーマットは、例えば規格ＩＥＥＥ８０２．１６に準拠して定義されたものである。
【００５３】
次にＳＳ１は接続したい基地局としてＢＳ１を選択して、接続要求７１２をＢＳ１に競合期間の間に送信する。一変形によると、ＢＳ１はポーリングモードでＳＳ１を調べ、それによりＳＳ１が例えば接続要求７１２を送信することが可能となる。
【００５４】
次にＢＳ１は、ステップ７１３の間にＣＩＤを決定し、１４の値のＣＩＤがＳＳ１へのＢＳ１の接続にアソシエートされる。次にＢＳ１は情報メッセージ７１４をＢＳ２に送信し、このメッセージは接続のパラメータを含み特にＣＩＤを伴う。したがってＢＳ２は、メッセージ７１４に従ってステップ７１６の間にＣＩＤを決定し、２４の値のＣＩＤがＳＳ１へのＢＳ２の接続にアソシエートされる。ステップ７１３の後、ＢＳ１はまた接続メッセージ７１５をＳＳ１に１４の値のＣＩＤに対応する識別子と共に送信する。次にＳＳ１はこの値を記録し、これからＳＳ１へのＢＳ２の接続、またはＳＳ１からＢＳ１へおよびＳＳ１からＢＳ２への接続に対応するＣＩＤの値を推定できる。本発明の一変形によると、異なる接続に対応するＣＩＤは、メッセージ７１２に類似のメッセージを介してＢＳから明示的に要求される。
【００５５】
このフェーズの後、ＳＳ１はＢＳ１にリンクされ、データを受信または送信できる。したがってＳＳ１はスロット１５の間に、１５の値のＣＩＤとアソシエートされ、ノード１５のＩＰアドレスに対応するあて先アドレスを持つデータを含むメッセージ７２０を送信する。次にＢＳ１は、リンク１２１を介してノード１５にメッセージ７２０の内容を送信する。ノード１５は、リンク１４１を介して、ＢＳ１およびＢＳ２により受信され、そのあて先アドレスがＳＳ１のＩＰアドレスであるメッセージ７２２を送信する。ＢＳ１はＳＳ１に接続されており、ＢＳ１はメッセージ７２２の内容をＳＳ１に１４の値のＣＩＤと共に１つまたは複数のスロット４０２の間に送信する。
【００５６】
フェーズ７２の後、ＳＳ１はフェーズ７３の間にＢＳ１からＢＳ２への接続ハンドオーバーを要求する。
【００５７】
フェーズ７３は、時間の流れに沿ってＮ＋１番のフレーム５の送信および受信を説明する図５により示される。フレーム５は、それぞれ基地局から移動局への下り方向および移動局から基地局への上り方向に対応する２つのスロット５０および５１に分割される。
【００５８】
スロット５０は、スロット４０用に確保された部分と同様の部分を含む。
【００５９】
スロット５０の第１の部分では、第１に局ＢＳ１はフレームヘッダ５００を送信する。次に局ＢＳ２はフレームヘッダ５０１を送信する。
【００６０】
ＢＳからＳＳへのデータの送信用に確保された部分で、第１にＢＳ１はＳＳ１にＳＳ１との接続に割り当てられたスロット５０２で、ＣＩＤ１４と共にそのバッファメモリに存在するデータ（このデータは例えば肯定応答を待つパケットまたは部分に対応し、否定応答を前に受信したか、または肯定応答を前に受信していない）を送信する。次にＢＳ２はＳＳ１にＳＳ１との接続に割り当てられたスロット５０４でノード１５から来るデータのＣＩＤ２４と共に送信する。スロット４０２は、スロット５０２および５０４を含む。スロット５０２および５０４は交わることはない。スロット５０２は５０４より小さいことが有利である（５０２の存続時間は、例えば５０４の時間の１０分の１より小さく、またはそれよりさらに小さく、ＢＳ１のバッファメモリは概して少量のデータしか含まない）。スロット５０２および５０４でスロット４０２を共用することは、所定の個数のフレーム間の前のＢＳとの接続に対する、もしくは当該ＢＳ間または調整ＢＳとの交換プロトコルにさえ準拠する決定論ダイアグラム（例えば固定比）に従う。この共用はまた、空にするバッファメモリ内のデータ量を考慮に入れることができる。次にＢＳ２は、ＳＳ２にＳＳ２との接続に割り当てられたスロット５０３でノード１５から来るデータをＣＩＤ２６と共に送信する。
【００６１】
間隔５１はポーリングモードで接続された移動局または移動局群によるデータの送信用に確保された部分を含み、時間スロットは各ＭＳに割り当てられている。したがって、スロット５１では第１にＳＳ１はＢＳ１にスロット５１２でＣＩＤ１５と共にそのバッファメモリに存在するデータ（例えば肯定応答を待つデータ）を送信し、次にＢＳ２にノード１５に向けた新しいデータのスロット５１０で送信する。次にＳＳ２は、ＢＳ２にＳＳ２との接続に割り当てられたスロット５１１でＣＩＤ２７と共にデータを送信する。スロット４１０はスロット５１２および５１０を含む。スロット５１０および５１２は交わることはない。スロット５１２は５１０より小さいことが有利である（５１２の存続時間は、例えば５１０の時間の１０分の１より小さく、またはそれよりさらに小さく、ＳＳ１のバッファメモリは概してハンドオーバーの開始の後のＢＳ１向けの少量のデータしか含まない）。スロット５１２および５１０でスロット４１０を共用することは、所定の個数のフレーム間の前のＢＳとの接続に対する、もしくは当該ＢＳ間または調整ＢＳとの交換プロトコルにさえ準拠する決定論ダイアグラム（例えば固定比）に従う。この共用はまた、空にするバッファメモリ内のデータ量を考慮に入れることができる。
【００６２】
フェーズ７３は、ＳＳ１からＢＳ１およびＢＳ２への特別なメッセージ７３０の送信で開始され、このメッセージはそこからハンドオーバーが有効になるフレーム番号を示す（ここでは番号Ｎ＋１であり、特別なメッセージ７３０は例えば１０フレーム前に送信される）。
【００６３】
したがってＢＳ１はＢＳ２にメッセージ７３１を送信し、それによりＢＳ１がＳＳ１への送信を担当した最後のパケットの番号（例えばＩＰフレームの番号）をＢＳ２に通知する。ＢＳ２はＳＳ１に後続のパケットを送信する。メッセージ７３１は、ＢＳ１およびＢＳ２に届くデータがそこからはもはやＢＳ１ではなくＢＳ２により記録されるハンドオーバーフェーズの開始の印となる。ハンドオーバーフェーズの間、ＢＳ１はＳＳ１へデータを送信することによりそのバッファメモリを空にし、ＢＳ２はＳＳ１へデータの送信を開始する。ＢＳ１およびＢＳ２は各方向に対してＳＳ１に割り当てられた時間リソースを共用する。
【００６４】
ノード１５は、リンク１４１を介して、ＢＳ１およびＢＳ２により受信され、そのあて先アドレスがＳＳ１のＩＰアドレスであるメッセージ７３２を送信する。ハンドオーバーが行われると、ＢＳ１は、ＳＳ１に１４の値のＣＩＤに対応するメッセージ７３３に対応するデータ（スロット５０２に関連付けられる）を送信することでそのバッファメモリを空にし、ＢＳ２は、２４の値のＣＩＤに対応するメッセージ７３４で、ノード１５により送信されたデータを（スロット５０４で）送信する。
【００６５】
ＳＳ１は、スロット５１２の間、１５の値のＣＩＤにアソシエートされ、ハンドオーバーの前にそのバッファメモリに存在しノード１５のＩＰアドレスに対応するあて先アドレスを持つデータを含むメッセージ７３５を送信する。次に、ＳＳ１は、スロット５１０の間、２５の値のＣＩＤにアソシエートされ、ハンドオーバーの後に生成されノード１５のＩＰアドレスに対応するあて先アドレスを持つデータを含むメッセージ７３６を送信する。したがってＢＳ１およびＢＳ２は、それぞれメッセージ７３７および７３８で、ＳＳ１から受信したデータをノード１５に送信する。
【００６６】
ハンドオーバーフェーズ７３の後、ＳＳ１はＢＳ２にリンクされ、図９に示されるフェーズ７４でＢＳ２を介してデータを受信または送信できる。
【００６７】
図６は、Ｎ＋ｘ番のフレーム６の送信および受信を時間の流れに沿って説明している（ここでｘは例えば２から５の値である）。フレーム６は、それぞれ下り方向および上り方向に対応する２つのスロット６０および６１に分割される。
【００６８】
スロット６０は、それぞれヘッダ４００および４０１と同様のヘッダ６００および６０１を含む。スロット４０２は、２４の値のＣＩＤを伴うＢＳ２とＳＳ１の間の接続に割り当てられたスロット６０２に置き換えられる。スロット６０はまた、スロット４０３と同様のスロット６０３を含む。
【００６９】
スロット６１では、第１にＳＳ１はＢＳ２にＳＳ１との接続に割り当てられたスロット６１０でＣＩＤ２５と共にデータを送信する。次にＳＳ２は、ＢＳ２にＳＳ２との接続に割り当てられたスロット６１１でＣＩＤ２７と共にデータを送信する。
【００７０】
図９に示されるように、ＳＳ１はスロット６１０の間、２５の値のＣＩＤにアソシエートされ、ノード１５のＩＰアドレスに対応するあて先アドレスを持つデータを含むメッセージ７４２を送信する。次にＢＳ２は、リンク１３１を介してノード１５にメッセージ７４２の内容を送信する。ノード１５は、リンク１４１を介して、ＢＳ１およびＢＳ２により受信され、そのあて先アドレスがＳＳ１のＩＰアドレスであるメッセージ７４０を送信する。ＢＳ２はＳＳ１に接続されており、ＢＳ２はメッセージ７４０の内容をＳＳ１に２４の値のＣＩＤを持つ１つまたは複数のスロット６０２の間に送信する。
【００７１】
図７はハンドオーバー処理方法の概要を示している。この方法は、ネットワークの異なるパラメータが更新される初期化フェーズ９０で始まる。
【００７２】
次にステップ９１の間、ネットワーク１の各ＳＳはＢＳにアソシエートされる。
【００７３】
次にステップ９２の間、ネットワーク１の各ＳＳはＢＳに接続される。
【００７４】
次にステップ９３の間、各ＳＳは、接続を望むＢＳを選択することにより、および変更が必要になったときに接続されているＢＳではない他のＢＳへハンドオーバーすることによりＢＳへの各ＳＳの接続を管理する。
【００７５】
図１０は、ＳＳ１に実装された、ＢＳ間の通信の管理を示す。
【００７６】
この管理は、ＳＳ１が異なるパラメータおよび有用な変数を初期化する初期化フェーズ１０００で始まる。
【００７７】
次に、ステップ１００１の間、ＳＳ１はＢＳのそれぞれから送信されたＦＨの受信のレベルまたは品質を計測する。実際には各ＢＳはＳＳが接続されていない場合でさえもＦＨを送信する。
【００７８】
次に、ステップ１００２の間、ＳＳ１は最良の受信に対応するＢＳを選択する。
【００７９】
次に、ステップ１００３の間、ＳＳ１は図８に示されたようにＢＳにアソシエートおよび接続される。
【００８０】
次に、ステップ１００４の間、ＳＳ１はＣＰＵがアプリケーションに送信する（ＢＳにより送信された）データを受信し、アプリケーションにより生成されたデータを接続されているＢＳに送信する。
【００８１】
次に、ステップ１００１と同様のステップ１００５の間、ＳＳ１はＢＳのそれぞれから送信されたＦＨの受信のレベルまたは品質を評価する。
【００８２】
次に、テスト１００６の間、ＳＳ１は別のＢＳへのハンドオーバーが必要か否かを調べる。
【００８３】
肯定の場合、ステップ１００７の間、ＳＳ１はテスト１００６の間に決定したＢＳに対してハンドオーバー操作を実行する。
【００８４】
ステップ１００７の後、またはテスト１００６の結果が否定である場合、ステップ１００４が繰り返される。
【００８５】
図１１は、各ＢＳに実装された、ＳＳとの接続の管理を示す。
【００８６】
この管理は、ＢＳが異なるパラメータおよび有用な変数を初期化する初期化フェーズ１１００で始まる。
【００８７】
次に、ステップ１１０１の間、ＢＳはアソシエーションおよび接続の要求を待ち次に受信する。
【００８８】
次に、テスト１１０２の間、ＢＳはアソシエーションおよび接続の要求がＳＳから直接得られたかを調べる。
【００８９】
肯定の場合、ステップ１１０３の間、アソシエーションを要求したＳＳから接続要求を受信した後、ＢＳはＣＩＤを承認した接続に割り当てる。次に、ステップ１１０５の間、ＢＳはイーサネット(登録商標）リンクを介してその接続に対応するＣＩＤを送信する。
【００９０】
テスト１１０２の結果が否定である場合、別のＢＳにより送信され、ＳＳとこの別のＢＳの間の接続を示す情報が受信される。したがってＢＳはステップ１１０４の間、他方のＢＳとの接続とアソシエートされるＣＩＤに従ってＣＩＤを割り当てる。
【００９１】
次にテスト１１０６の間、ＢＳはハンドオーバー通知が受信されたかを調べる。肯定の場合、ステップ１１０７の間、ＢＳはハンドオーバーが有効になるパケットを決定することによりこのハンドオーバーを処理し、ハンドオーバーが行われる先のＢＳはこれを通知される。
【００９２】
ステップ１１０７の後、またはテスト１１０６の結果が否定である場合、テスト１１０８の間、ＢＳは別のＢＳにより送信された接続通知が受信されたかを調べる。肯定の場合、ステップ１１０９の間、ＢＳは他方のＢＳとの接続にアソシエートされるＣＩＤに従ってＣＩＤを割り当てる。
【００９３】
ステップ１１０９の後、またはテスト１１０８の結果が否定である場合、ＢＳはＳＳから来るアソシエーションおよび接続の要求が受信されたかを確認する。
【００９４】
否定の場合、テスト１１０６が繰り返される。肯定の場合、ステップ１１０３が繰り返される。
【００９５】
当然ながら、本発明は前に説明した実施形態に限定されない。
【００９６】
特に、移動局および基地局のアーキテクチャは、要素のそれぞれの機能および／または形態（特に電子的要素の機能は限定された数の構成要素にグループ化され、またはそれとは反対にいくつかの構成要素に拡張されうる）ならびに要素の構成において、図２および図３に示されたアーキテクチャと異なってよい。
【００９７】
本発明は、図１に関して説明されたアーキテクチャに限定されず、１つまたは複数のＳＳを含むローカルな（例えば数十メートル）またはリモートの（例えば特に規格ＩＥＥＥ８０２．１６に準拠した数キロメートル）範囲での無線ネットワークを実装する任意のアーキテクチャを含み、各ＳＳは任意の時間に少なくとも１つのＢＳへ接続される。一変形によると、ＢＳ間ならびに／あるいはＢＳとあて先および／またはソースのノードとの間のリンクは、無線リンク（ローカルまたはリモートのリンク）である。
【００９８】
本発明はまた、上述したものとは異なる通信プロトコルを適用できる。したがって、制御データは任意のプロトコルに準拠して（例えば競合アクセスでまたはポーリングモードで）送信可能である。ＳＳとＢＳとの間の通信チャネルは、上り方向と下り方向で同一の周波数チャネル（「半二重」として知られるモード）を使用可能であり、または異なる周波数チャネル（「全二重」として知られるモード）を使用可能である。
【図面の簡単な説明】
【００９９】
【図１】本発明を実装する要素を持つ通信ネットワークアーキテクチャの例を示す図である。
【図２】本発明の詳細な実施形態による、図１のネットワークに属する移動無線局を示す図である。
【図３】本発明の詳細な実施形態による、図１のネットワークに属する中継局を示す図である。
【図４】図１のネットワークに属する無線局と中継局の間の無線フレームのやり取りの例を示す図である。
【図５】図１のネットワークに属する無線局と中継局の間の無線フレームのやり取りの例を示す図である。
【図６】図１のネットワークに属する無線局と中継局の間の無線フレームのやり取りの例を示す図である。
【図７】本発明の詳細な実施形態による、図１のネットワークで用いられる方法を示す図である。
【図８】図１のネットワークの異なる要素間の通信の例を示す図である。
【図９】図１のネットワークの異なる要素間の通信の例を示す図である。
【図１０】図１のネットワークに属する移動無線局で用いられる通信の方法を示す図である。
【図１１】図１のネットワークに属する中継局で用いられる通信の方法を示す図である。
【図１】
2008263584.tif 000003
【図２】
2008263584.tif 000004
【図３】
2008263584.tif 000005
【図４】
2008263584.tif 000006
【図５】
2008263584.tif 000007
【図６】
2008263584.tif 000008
【図７】
2008263584.tif 000009
【図８】
2008263584.tif 000010
【図９】
2008263584.tif 000011
【図１０】
2008263584.tif 000012
【図１１】
2008263584.tif 000013
【外国語明細書】
2008263584000001.pdf